(57)【要約】【課題】複数の連続番組を、番組ごとに別々の光ディスクに予約録画する際、夫々の番組に対応したディスクがセットされていなくても、確実に録画できるようにし、かつ、ユーザーによるディスクの管理を楽にすること。【解決手段】インターネット接続機能を持ち、録画予約時と録画開始前に番組情報サーバーに照会することで、録画予約を簡単かつ確実にし、さらに放送時間が変更になっても対応できるようにする。また、ハードディスクドライブを搭載することで、録画番組に対応した光ディスクがセットされていなくても、ハードディスクに一時記録するようにする。さらに、光ディスクの書き換え可能なラベルに、番組情報サーバーから取得した番組タイトル等を自動でプリントする。【選択図】　　　図１
2004080507.tif 000002
【特許請求の範囲】
【請求項１】
番組の予約録画機能を持ち、リムーバブルな第１の記録媒体用と装置固定の第２の記録媒体用との２つのドライブ部を具備した記録再生装置において、
ネットワーク上のサーバーから予約した番組に関する情報を取得するためのネットワーク接続手段と、このネットワーク接続手段で取得した情報の中で装置が番組の識別に使用するための第１の識別情報を、前記第１の記録媒体に書き込む手段とを有し、
録画予約の時間が来た時に挿入されている第１の記録媒体から第１の識別情報を読み出して、その番組を録画するための記録媒体であるか否かを判断し、その番組を録画するための記録媒体であれば第１の記録媒体に録画し、その番組を録画するための記録媒体でなければ第２の記録媒体に録画することを特徴とした記録再生装置。
【請求項２】
番組の予約録画機能を持ち、リムーバブルな第１の記録媒体用と装置固定の第２の記録媒体用との２つのドライブ部を具備した記録再生装置において、
ネットワーク上のサーバーから予約した番組に関する情報を取得するためのネットワーク接続手段と、このネットワーク接続手段で取得した情報の中で装置が番組の識別に使用するための第１の識別情報を、前記第１の記録媒体に書き込む手段と、前記ネットワーク接続手段で取得した情報の中で人間が番組の識別に使用するための第２の識別情報を、前記第１の記録媒体のインデックスラベルに印字するラベルプリント手段とを有し、
録画予約の時間が来た時に挿入されている第１の記録媒体から第１の識別情報を読み出して、その番組を録画するための記録媒体であるか否かを判断し、その番組を録画するための記録媒体であれば第１の記録媒体に録画し、その番組を録画するための記録媒体でなければ第２の記録媒体に録画することを特徴とした記録再生装置。
【請求項３】
請求項１または２に記載の記録再生装置において、
録画予約の時間が近づくと、前記ネットワーク接続手段によりネットワーク上のサーバーから情報を取得して、録画予約した番組の放送開始日時に変更がないかどうかを確認し、変更があった場合には、当該番組の放送開始日時の情報を書き換えることを特徴とした記録再生装置。
【請求項４】
請求項１または２に記載の記録再生装置において、
前記第２の記録媒体に番組を記録した場合、記録後ユーザーに対してその番組を録画するための前記第１の記録媒体を挿入するようメッセージを出し、挿入された記録媒体から前記第１の識別情報を読み出して該当の記録媒体であったら、第２の記録媒体に録画されている番組を第１の記録媒体にダビングすることを特徴とした記録再生装置。
【請求項５】
請求項１ないし４の何れか１項に記載の記録再生装置において、
前記第１の記録媒体は光ディスクであり、前記第２の記録媒体はハードディスクであることを特徴とした記録再生装置。
【発明の詳細な説明】
【０００１】
【発明の属する技術分野】
本発明は、ビデオテープや光ディスク等の記録媒体に、放送等のコンテンツを記録し、再生する記録再生装置に関し、特に、記録媒体に録画予約する際の録画管理技術に関するものである。
【０００２】
【従来の技術】
放送等のコンテンツを記録・再生する装置としてビデオテープレコーダーが広く知られている。また、最近では、記録が可能なＤＶＤを用いたＤＶＤレコーダーや、大容量のハードディスクを内蔵した録画機器も商品化されている。
【０００３】
また、個人で録画したビデオテープのインデックスラベルによる管理を容易にするための技術として、ビデオデッキにインデックスラベルの印字機能を付加するようにした技術が、特開平３−１２５３８２号公報、特開平３−２１９４８２号公報、特開平４−６０９３７号公報等に開示されている。
【０００４】
また、これらインデックスラベルを自動で作成して、さらに利便性を高めるようにした技術が、特開２００１−５７０５２号公報で開示されている。
【０００５】
【発明が解決しようとする課題】
ビデオデッキを用いて複数のドラマ等の連続番組を、それぞれ別々の記録媒体に録画保存することは、記録媒体を整理保存するために非常に有効である。しかし、１台のビデオデッキでこれを実現するためには、番組毎に記録媒体をそれぞれ準備し、識別のために作成したインデックスラベルをそれぞれの記録媒体に貼り付けて、各番組の予約設定を行い、さらに夫々の番組が始まる前に番組に対応した記録媒体を、ビデオデッキにセットしておく必要がある。
【０００６】
ところが、このような方法では、記録媒体をセットし忘れた場合や誤ってセットした場合には、目的の番組を録画できないばかりか、他の番組用の記録媒体に上書き録画してしまう等の不都合が生じてしまう。
【０００７】
また、野球中継の延長や特別番組等で放送時間がずれてしまったときに、正しく録画できない場合も生ずる。
【０００８】
【課題を解決するための手段】
本発明は上記した課題を解決するために、番組の予約録画機能を持ち、リムーバブルな第１の記録媒体用と装置固定の第２の記録媒体用との２つのドライブ部を具備した記録再生装置において、
ネットワーク上のサーバーから予約した番組に関する情報を取得するためのネットワーク接続手段と、このネットワーク接続手段で取得した情報の中で装置が番組の識別に使用するための第１の識別情報を、前記第１の記録媒体に書き込む手段とを有し、
録画予約の時間が来た時に挿入されている第１の記録媒体から第１の識別情報を読み出して、その番組を録画するための記録媒体であるか否かを判断し、その番組を録画するための記録媒体であれば第１の記録媒体に録画し、その番組を録画するための記録媒体でなければ第２の記録媒体に録画するように、構成される。
【０００９】
さらに、上記の記録再生装置は、前記ネットワーク接続手段で取得した情報の中で人間が番組の識別に使用するための第２の識別情報を、前記第１の記録媒体のインデックスラベルに印字するラベルプリント手段を有するものとされる。
【００１０】
さらにまた、録画予約の時間が近づくと、ネットワーク接続手段によりネットワーク上のサーバーから情報を取得して、録画予約した番組の放送開始日時に変更がないかどうかを確認し、変更があった場合には、当該番組の放送開始日時の情報を書き換えるように、構成される。
【００１１】
さらにまた、上記の記録再生装置は、前記第２の記録媒体に番組を記録した場合、記録後ユーザーに対してその番組を録画するための前記第１の記録媒体を挿入するようメッセージを出し、挿入された記録媒体から前記第１の識別情報を読み出して該当の記録媒体であったら、第２の記録媒体に録画されている内容を第１の記録媒体にダビングするように、構成される。
【００１２】
さらにまた、上記の記録再生装置において、前記第１の記録媒体は光ディスクとされ、前記第２の記録媒体はハードディスクとされる。
【００１３】
【発明の実施の形態】
以下、本発明の実施の形態を、図面を参照しながら説明する。
【００１４】
＜第１実施形態＞
まず、本発明の第１実施形態について説明する。図１は、本発明の第１実施形態に係る記録再生装置の構成を示すブロック図である。
【００１５】
本実施形態の記録再生装置１は、全体を制御するシステムコントロール部１０１、リモコン２からの操作命令を受信するリモコン受信部１０２、操作キー１０３、録画予約に関する情報等を記憶するためのメモリ１０４、インターネット３上の番組情報サーバー４と接続して番組に関する各種情報を入手するためのネットワーク接続部１０５、光ディスク８にデータを記録再生する光ディスクドライブ部１０６、内蔵のハードディスクにデータを記録再生するハードディスクドライブ部１０７、光ディスクドライブ部１０６及びハードディスクドライブ部１０７と接続して記録再生データのバスを制御するバス制御部１０８、アンテナ５から入力される放送電波を受信するためのチューナー部１１１、チューナー部１１１で受信した映像音声信号を選択したり記録するためのフォーマットに変換する記録信号処理部１０９、バス制御部１０８を通じて再生された映像音声信号の圧縮を解除するなど出力可能なファーマットに変換する再生信号処理部１１０、システムコントロール部１０１からの指示でメニュー画面等を出力映像信号に重畳するＯＳＤ制御部１１２、ＴＶモニタ６及びスピーカ７に映像及び音声を出力する映像音声出力部１１３を、含んだものとして構成されている。
【００１６】
次に、本実施形態における連続番組の録画予約手法について説明する。
【００１７】
ユーザーは、まずその番組専用に準備した光ディスク８を、光ディスクドライブ１０６に挿入する。次に、リモコン２または操作キー１０３を操作して、インターネット３に接続されている番組情報サーバー４にアクセスし、録画予約したい番組を選択する。
【００１８】
システムコントロール部１０１は、リモコン受信部１０２または操作キー１０３を介してユーザーからの操作命令を解読し、ユーザーが選択した番組のタイトル、放送予定日時、チャンネル、連続番組であるか否か等の情報を、ネットワーク接続部１０５を介して取得し、連続番組の場合は、それ以降放送される続きの番組も同一の光ディスクに録画するか否かをユーザーに問い合わせる。
【００１９】
ユーザーが続きの番組も同一の光ディスクに録画すると選択したら、システムコントロール部１０１は、バス制御部１０８及び光ディスクドライブ１０６を介して、光ディスク８の管理領域に番組の識別ＩＤを書き込む。
【００２０】
この識別ＩＤは、記録再生装置１が光ディスク８を識別するためのもので、他の番組録画用の光ディスクと区別するために用いる。
【００２１】
次に、システムコントロール部１０１は、メモリ１０４に録画予約に必要な情報として、その番組の放送予定日時、チャンネル、光ディスクを識別照合するための識別ＩＤ等を書き込む。
【００２２】
複数の番組を録画予約する際は、上記の操作を繰り返す。
【００２３】
次に、本実施形態における録画予約された番組を録画する際の動作について、図２のフローチャートを用いて説明する。
【００２４】
録画予約されている番組の放送時間が近づくと、すなわち、ここでは例えば予約時間の数分前になると（ステップＳ１でＹｅｓ判定されると）、システムコントロール部１０１は、ネットワーク接続部１０５を介して番組情報サーバー４にアクセスして（ステップＳ２）、予約番組の放送開始日時に変更がないかどうかを確認する（ステップＳ３）。
【００２５】
放送開始日時に変更がある場合は（ステップＳ３でＮｏ判定された場合は）、変更後の放送開始日時を番組情報サーバー４から入手して、メモリ１０４に記憶されている放送予定日時を書き換え（ステップＳ６）、然る後、ステップＳ１に戻って、この変更後の放送開始日時が近づくまで待つ。
【００２６】
一方、放送開始日時に変更がない場合は（ステップＳ３でＹｅｓ判定された場合は）、光ディスクドライブ１０６にセットされている光ディスク８の識別ＩＤを読み出し、目的の放送を録画するべき光ディスク８であるかどうかを確認する。（ステップＳ４）
そして、光ディスク８が目的のものであれば（ステップＳ４でＹｅｓ判定されると）、放送開始時間が来た時点で光ディスク８に番組を録画する（ステップＳ５）。一方、光ディスク８が目的のものでない又はセットされていない場合は（ステップＳ４でＮｏ判定されると）、ハードディスクドライブ１０７に番組を一時録画する（ステップＳ７）。
【００２７】
その後、システムコントロール部１０１は、再びネットワーク接続部１０５を介して番組情報サーバー４にアクセスして（ステップＳ８）、続きの番組があるか否かを確認する（ステップＳ９）。
【００２８】
そして、続きの番組がある場合は（ステップＳ９でＹｅｓ判定された場合は）、次回の放送開始日時を番組情報サーバー４から入手して、メモリ１０４に記憶されている放送予定日時を書き換え（ステップＳ１０）、然る後、ステップＳ１に戻って、次回の放送開始日時が近づくまで待つ。
【００２９】
一方、続きの番組がない場合は（ステップＳ９でＮｏ判定された場合は）、その番組の録画予約は終了するが、他の番組予約がセットされているか否かを確認する（ステップＳ１１）。他の番組予約がセットされている場合には（ステップＳ１１でＹｅｓ判定された場合には）、ステップＳ１に戻って上述した動作を繰り返し、他の番組予約がセットされていない場合には（ステップＳ１１でＮｏ判定された場合には）、録画予約による動作実行を終了する。
【００３０】
＜第２実施形態＞
続いて、本発明の第２実施形態について説明する。図３は、本発明の第２実施形態に係る記録再生装置の構成を示すブロック図であり、同図において、図１の前記第１実施形態と同一の構成要素には同一符号を付し、その説明は重複を避けるため省略する。
【００３１】
本実施形態が、前記第１実施形態と異なるのは、システムコントロール部１０１からの指示で光ディスク８に貼られている書き換え可能なラベルに印字するためのラベルプリント部１１４が、付加されている点にあり、他は前記第１実施形態と同様である。
【００３２】
次に、本実施形態における連続番組の録画予約手法について説明する。ユーザーが、その番組専用に準備した光ディスク８を光ディスクドライブ１０６に挿入し、リモコン２または操作キー１０３を操作してインターネット３に接続されている番組情報サーバー４にアクセスして録画予約したい番組を選択し、ユーザーが選択した番組のタイトル、放送予定日時、チャンネル、連続番組であるか否か等の情報を、ネットワーク接続部１０５を介して取得し、連続番組の場合は、それ以降放送される続きの番組も同一の光ディスクに録画するか否かをユーザーに問い合わせるところまでは、前記第１実施形態と同じである。
【００３３】
本実施形態では、ユーザーが続きの番組も同一の光ディスク８に録画すると選択したら、システムコントロール部１０１は、バス制御部１０８及び光ディスクドライブ１０６を介して光ディスク８の管理領域に番組の識別ＩＤを書き込むとともに、ラベルプリント部１１４を制御して、光ディスク８に貼られている書き換え可能なラベルに、番組情報サーバー４から入手した番組のタイトル等、ユーザーが光ディスクを識別するための情報を印字する。
【００３４】
次に、システムコントロール部１０１は、メモリ１０４に録画予約に必要な情報として、その番組の放送予定日時、チャンネル、光ディスクを識別照合するための識別ＩＤ等を書き込む。
【００３５】
複数の番組を録画予約する際は、上記の操作を繰り返す。
【００３６】
なお、本第２実施形態における録画予約された番組を録画する際の動作については、前記第１実施形態と同じなので、その説明は省略する。
【００３７】
＜第３実施形態＞
続いて、本発明の第３実施形態について説明する。本実施形態の記録再生装置の構成は、図１の前記第１実施形態または図３の前記第２実施形態の構成と同様であるので、その構成要素についての説明は省略する。
【００３８】
また、本実施形態における連続番組の録画予約手法についても、前記第１実施形態または第２実施形態と同様であるので、その説明は省略する。
【００３９】
次に、本実施形態における録画予約された番組を録画する際の動作について、図４のフローチャートを用いて説明する。
【００４０】
図４において、ステップＳ１からステップＳ１１までの処理は、前記第１実施形態と同じなので、その説明を省略する。
【００４１】
本実施形態では、図４における処理過程Ａにおいて、ハードディスクに一時録画されている番組があるか否かを検出する（ステップＳ１２）。そして、ハードディスクに一時録画されている番組がない場合には（ステップＳ１２でＮｏ判定された場合には）、前記したステップＳ１に進む。
【００４２】
一方、ハードディスクに一時録画されている番組がある場合には（ステップＳ１２でＹｅｓ判定された場合には）、インジケータ（図示せず）等でその旨ユーザーに伝え、録画した番組に対応した光ディスク８をセットするよう促す（ステップＳ１３）。これにより、ユーザーは、例えば光ディスク８のインデックスラベルを手がかりに目的の光ディスク８を選び出し、光ディスクドライブ１０６にセットすることになり、システムコントロール部１０１は、セットされた光ディスク８の識別ＩＤを読み出して、目的の番組を録画するべき光ディスク８であるかどうかを確認する（ステップＳ１４）。
【００４３】
そして、セットされた光ディスク８が目的のものであれば（ステップＳ１４でＹｅｓ判定されると）、ハードディスクに一時録画しておいた番組を光ディスクにダビングし（ステップＳ１５）、このダビングが完了したか否かを判定して（ステップＳ１６）、ダビングが完了した場合には（ステップＳ１６でＹｅｓ判定の場合には）、前記したステップＳ１に進む。ダビングが完了していない場合には（ステップＳ１６でＮｏ判定の場合には）、録画予約されている番組の放送時間が近づているか否かが判定され（ステップＳ１７）、録画予約されている番組の放送時間が近づている場合には（ステップＳ１７でＹｅｓ判定された場合には）、前記したステップＳ２へ進み、そうでない場合には（ステップＳ１７でＮｏ判定された場合には）、ステップＳ１５に戻る。
【００４４】
一方、セットされた光ディスク８が目的のものでない場合やセットされていない場合には（ステップＳ１４でＮｏ判定された場合には）、録画予約されている番組の放送時間が近づているか否かが判定され（ステップＳ１８）、録画予約されている番組の放送時間が近づている場合には（ステップＳ１８でＹｅｓ判定された場合には）、前記したステップＳ２へ進み、そうでない場合には（ステップＳ１８でＮｏ判定された場合には）、ステップＳ１３に戻る。
【００４５】
また、図４における処理過程Ｂにおいては、先に説明したステップＳ１２からステップＳ１５の処理が行われる。
【００４６】
【発明の効果】
以上のように本発明によれば、番組を予約録画する際、番組情報サーバーから予約に必要な各種情報を入手するため、確実かつ簡単に録画予約を行うことができる。
【００４７】
また、複数の連続番組を第１の記録媒体に別々に予約録画する際、識別情報によって番組と記録媒体との対応付けが可能なため、別の番組用の記録媒体がセットされていても、誤ってその記録媒体に記録することなく、予め装置に内蔵されている第２の記録媒体に一時記録することが出来る。従って、夫々の番組が始まる前に、番組に対応した記録媒体を必ずセットしておかなくてはならないという制約が無くなる。
【００４８】
また、録画を開始する前に、放送時間に変更がないかどうかを番組情報サーバーに照会するため、野球中継の延長等で時間が変更になっても、正しく番組を録画することができる。
【００４９】
また、連続番組を記録する際、次の放送予定時間を番組情報サーバーから取得するので、毎週同じ時間ではなく不定期に放送されるような連続番組でも、毎回録画予約する必要がなく、しかも確実に録画することができる。
【００５０】
また、記録媒体の書き換え可能なインデックスラベルに、番組情報サーバーから取得した番組のタイトル等の情報を自動で印字できるので、ユーザーがいちいちインデックスラベルを作成する手間が省け、確実に番組毎に用意した記録媒体を管理することができる。
【００５１】
また、予め装置に内蔵されている第２の記録媒体に番組が一時記録されていたとき、ユーザーに対してその旨を知らせ、ユーザーがその番組用に準備している記録媒体を挿入すれば、自動で第２の記録媒体からダビングできるので、一時記録されている番組のダビングを忘れてしまうようなことが無くなる。
【００５２】
また、第１の記録媒体は、簡単に着脱可能で可搬性及びデータ保存性に優れた光ディスクを、第２の記録媒体は、大容量かつ高速アクセスが可能でビット単価が比較的安いなハードディスクを使用するため、番組の長期保存と一時記録をバランス良く実現することができる。
【図面の簡単な説明】
【図１】本発明の第１実施形態に係る記録再生装置の構成を示すブロック図である。
【図２】本発明の第１実施形態に係る記録再生装置における、録画予約された番組を録画する際の動作フローを示すフローチャートである。
【図３】本発明の第２実施形態に係る記録再生装置の構成を示すブロック図である。
【図４】本発明の第３実施形態に係る記録再生装置における、録画予約された番組を録画する際の動作フローを示すフローチャートである。
【符号の説明】
１　記録再生装置
２　リモコン
３　インターネット
４　番組情報サーバー
５　アンテナ
６　ＴＶモニタ
７　スピーカ
８　光ディスク
１０１　システムコントロール部
１０２　リモコン受信部
１０３　操作キー
１０４　メモリ
１０５　ネットワーク接続部
１０６　光ディスクドライブ部
１０７　ハードディスクドライブ部
１０８　バス制御部
１０９　記録信号処理部
１１０　再生信号処理部
１１１　チューナー部
１１２　ＯＳＤ制御部
１１３　映像音声出力部
１１４　ラベルプリント部
【図１】
2004080507.tif 000003
【図２】
2004080507.tif 000004
【図３】
2004080507.tif 000005
【図４】
2004080507.tif 000006